(57)【要約】【課題】    本発明は、精選効率を高めることができるスクリーン装置を提供することを目的としている。【解決手段】    スクリーン装置Ａは、製紙原料を受け入れる槽１と、この槽１を一次室２１と二次室２２に仕切るスクリーン２と、のスクリーン２の外側に位置して、一次室２１内の前記製紙原料を攪拌する攪拌部材３と、槽１の一次室２１に連通して槽１に前記製紙原料を供給する製紙原料供給通路４と、一次室２１に連通し、スクリーン２を通過しない異物を含む前記製紙原料を槽１の外へ排出する異物排出通路５と、二次室２２に連通し、スクリーン２を通過した前記製紙原料を槽１の外へ排出する製紙原料排出通路６と、一次室２１内のスクリーン２とスクリーン２に対向する槽１の内壁との間隔は製紙原料流れの上流側より一次室２１内の前記製紙原料流れの下流側が大きくなるように構成されているものである。【選択図】図１
2006283247.tif 000002
【特許請求の範囲】
【請求項１】
製紙原料を受け入れる槽と、
この槽を一次室と二次室に仕切るスクリーンと、
このスクリーンの外側に位置して、前記一次室内の前記製紙原料を攪拌する攪拌部材と、
前記槽の前記一次室に連通して前記槽に前記製紙原料を供給する製紙原料供給通路と、
前記一次室に連通し、前記スクリーンを通過しない異物を含む前記製紙原料を前記槽の外へ排出する異物排出通路と、
前記二次室に連通し、前記スクリーンを通過した前記製紙原料を前記槽の外へ排出する製紙原料排出通路と、
前記一次室内の前記スクリーンと該スクリーンに対向する前記槽の内壁との間隔は製紙原料流れの上流側より前記一次室内の前記製紙原料流れの下流側が大きくなるように構成されていることを特徴とするスクリーン装置。
【請求項２】
製紙原料を受け入れる槽と、
この槽を一次室と二次室に仕切るスクリーンと、
このスクリーンの内側に位置して、前記一次室内の前記製紙原料を攪拌する攪拌部材と、
前記槽の前記一次室に連通して前記槽に前記製紙原料を供給する製紙原料供給通路と、
前記一次室に連通し、前記スクリーンを通過しない異物を含む前記製紙原料を前記槽の外へ排出する異物排出通路と、
前記二次室に連通し、前記スクリーンを通過した前記製紙原料を前記槽の外へ排出する製紙原料排出通路と、
前記攪拌部材は、回転自在なロータ部の外周面に取り付けられ、
前記一次室内の前記スクリーンと該スクリーンに対向する前記ロータ部の外周面との間隔は製紙原料流れの上流側より前記一次室内の前記製紙原料流れの下流側が大きくなるように構成されていることを特徴とするスクリーン装置。
【請求項３】
二次室は、前記二次室内の前記製紙原料流れの上流側より前記二次室内の前記製紙原料流れの下流側を大きくなるように構成されていることを特徴とすることを特徴とする請求項１又は２記載のスクリーン装置。
【発明の詳細な説明】
【技術分野】
【０００１】
本発明は、スクリーン装置に係り、特に、異物がスクリーンを介して流入することをより防ぎ、精選効率を高めることができるスクリーン装置に関する。
【背景技術】
【０００２】
スクリーン装置にあっては、スクリーンを介して製紙原料中から異物を除去するようにしている。つまり、製紙原料中の良繊維はスクリーンを通過し、製紙原料中の異物はスクリーンを通過しないようにして選別を行うようにしている（例えば、特許文献１参照）。
【特許文献１】特開２００３−１０６０８（図１参照）
【発明の開示】
【発明が解決しようとする課題】
【０００３】
上述したスクリーン装置にあっては、スクリーンを通過していない一次室内の製紙原料は、下流側に行くにつれて良繊維と共に製紙原料中の水もスクリーンを介して二次室に流入されるため、一次室内の下流側においては、異物を多く含む濃度の高い製紙原料となる。
その結果、下流側に行くに従って、スクリーンより小さい異物を含んだ製紙原料が二次室内に紛れ込むため、精選効率の点で改善の余地があった。
本発明は、精選効率を高めることができるスクリーン装置を提供するものである。
【課題を解決するための手段】
【０００４】
前記した目的を達成するための本発明のスクリーン装置は、製紙原料を受け入れる槽と、この槽を一次室と二次室に仕切るスクリーンと、このスクリーンの外側に位置して、前記一次室内の前記製紙原料を攪拌する攪拌部材と、前記槽の前記一次室に連通して前記槽に前記製紙原料を供給する製紙原料供給通路と、前記一次室に連通し、前記スクリーンを通過しない異物を含む前記製紙原料を前記槽の外へ排出する異物排出通路と、前記二次室に連通し、前記スクリーンを通過した前記製紙原料を前記槽の外へ排出する製紙原料排出通路と、前記一次室内の前記スクリーンと該スクリーンに対向する前記槽の内壁との間隔は製紙原料流れの上流側より前記一次室内の前記製紙原料流れの下流側が大きくなるように構成されているものである。
【０００５】
また、請求項２記載のスクリーン装置は、製紙原料を受け入れる槽と、この槽を一次室と二次室に仕切るスクリーンと、このスクリーンの内側に位置して、前記一次室内の前記製紙原料を攪拌する攪拌部材と、前記槽の前記一次室に連通して前記槽に前記製紙原料を供給する製紙原料供給通路と、前記一次室に連通し、前記スクリーンを通過しない異物を含む前記製紙原料を前記槽の外へ排出する異物排出通路と、前記二次室に連通し、前記スクリーンを通過した前記製紙原料を前記槽の外へ排出する製紙原料排出通路と、前記攪拌部材は、回転自在なロータ部の外周面に取り付けられ、前記一次室内の前記スクリーンと該スクリーンに対向する前記ロータ部の外周面との間隔は製紙原料流れの上流側より前記一次室内の前記製紙原料流れの下流側が大きくなるように構成されているものである。
【０００６】
また、請求項３記載のスクリーン装置は、請求項１又は２記載のスクリーン装置において、二次室は、前記二次室内の前記製紙原料流れの上流側より前記二次室内の前記製紙原料流れの下流側を大きくなるように構成されているものである。
【発明の効果】
【０００７】
一次室内の製紙原料は、下流側に行くにつれて良繊維がスクリーンを介して二次室に流入されるため、異物を多く含むが、請求項１記載のスクリーン装置によれば、一次室内のスクリーンと該スクリーンに対向する槽の内壁との間隔は製紙原料流れの上流側より一次室内の製紙原料流れの下流側が大きくなるように構成されているため、つまり、製紙原料流れの出口側が入口側に比べ体積的に大きくなる構成となっているため、従来に比べ、異物を含む製紙原料が希釈化されにくく、一次室内の製紙原料流れの出口側において、異物がスクリーンを介して流入することを防ぎ、精選効率を高めることができる。
【０００８】
また、請求項２記載のスクリーン装置によれば、一次室内の製紙原料は、下流側に行くにつれて良繊維がスクリーンを介して二次室に流入されるため、異物を多く含むが、請求項２記載のスクリーン装置によれば、一次室内のスクリーンと該スクリーンに対向するロータ部の外周面との間隔は製紙原料流れの上流側より一次室内の製紙原料流れの下流側が大きくなるように構成されているため、つまり、製紙原料流れの出口側が入口側に比べ体積的に大きくなる構成となっているため、従来に比べ、異物を含む製紙原料が希釈化されにくく、一次室内の製紙原料流れの出口側において、異物がスクリーンを介して流入することを防ぎ、精選効率を高めることができる。
【０００９】
また、請求項３記載のスクリーン装置によれば、上述した請求項１又は２記載の発明の効果に加え、二次室は、該二次室内の製紙原料流れの上流側より二次室内の前記製紙原料流れの下流側を大きくなるように構成されているため、つまり、二次室内の製紙原料流れの出口側が入口側に比べ体積的に大きくなる構成となっているため、上述した請求項１又は２記載の一次室の構成と相俟って、従来に比べ、異物を含む製紙原料がより希釈化されにくく、一次室内の製紙原料流れの出口側において、異物がスクリーンを介して流入することをより防ぎ、精選効率を高めることができる。
【実施例】
【００１０】
本発明の一実施例のスクリーン装置を図面を参照して説明する。
図１乃至図３において、Ａはスクリーン装置で、スクリーン装置Ａは、製紙原料を受け入れる槽１と、この槽１を一次室２１と二次室２２に仕切るスクリーン２と、このスクリーン２の外側に位置して、一次室２１内の製紙原料を攪拌する攪拌部材３とを有する。
【００１１】
スクリーン２は、例えば、円筒形状の側面に製紙原料を通過させる複数の開口部２３［開口部２３は、例えば、棒状の長手形状部材を隙間（長手形状の隙間）を有して環状に並設した場合の隙間、円筒形状の側面に設けた丸孔、スリット（例えば、細長い長方形状の隙間）］を有したもので、底面部２４を開放して槽１内に立設して固定されている。
【００１２】
また、上述した一次室２１内のスクリーン２と該スクリーン２に対向する槽１の内壁との間隔は、製紙原料流れの上流側より一次室２１内の製紙原料流れの下流側が大きくなるように構成され、間隔は、例えば、図２及び図３に示すように、上流側ではＨ１、下流側ではＨ２（Ｈ１＜Ｈ２）となるように構成され、一次室２１内のスクリーン２に対向する槽１は、製紙原料流れの下流側に行くにつれ、拡大するテーパー状となっいている。
【００１３】
４は、槽１の一次室２１に連通して槽１に製紙原料を供給する製紙原料供給通路で、５は、一次室２１に連通し、スクリーン２を通過しない異物を含む製紙原料を槽１の外へ排出する異物排出通路で、６は、二次室２２に連通し、スクリーン２を通過した製紙原料を槽１の外へ排出する製紙原料排出通路である。
【００１４】
攪拌部材３は、槽１内に設けられた回転軸３１に接続されたロータ部３２の上に位置する円盤状の天井部３３より張り出すと共に、垂下したもので、複数（本実施例では、４個）設けられている。この攪拌部材３は、図示しないモーターから動力伝達部材７（例えば、ベルト）を介して回転するようになっている。
また、上述した二次室２２内のスクリーン２と該スクリーン２に対向するロータ部３２の外周面の間隔は、製紙原料流れの上流側より二次室２２内の製紙原料流れの下流側が大きくなるように構成され、間隔は、例えば、図２及び図３に示すように、上流側はｈ１、下流側はｈ２（ｈ１＜ｈ２）となるように構成され、二次室２２内のスクリーン２に対向するロータ部３２は、製紙原料流れの下流側に行くにつれて縮小するテーパー状となっいている。
そして、スクリーン１の外側に対向して設けられた攪拌部材３の回転により、製紙原料を攪拌し、該製紙原料中の良繊維と異物を選別すると共に、スクリーン２の目洗い作用を行って、継続的に製紙原料から異物を除去することができるようになっている。
【００１５】
従って、製紙原料供給通路４により、製紙原料は一次室２１内に供給される。一次室２１内の製紙原料は、下流側に行くにつれて水と共に良繊維がスクリーン２を介して二次室２２に流入されるため、異物を多く含むが、一次室２１内のスクリーン２とスクリーン２に対向する槽１の内壁との間隔は製紙原料流れの上流側より一次室内の製紙原料流れの下流側が大きくなるように構成されているため、つまり、製紙原料流れの出口側が入口側に比べ体積的に大きくなる構成となっているため、従来に比べ、異物を含む製紙原料が希釈化されにくく、一次室２１内の製紙原料流れの出口側において、異物がスクリーン２を介して流入することを防ぎ、精選効率を高めて、スクリーン２により精選された製紙原料は、製紙原料排出通路６を介して槽３の外へと排出される。
また、二次室２２内の製紙原料流れの上流側（の部位）より二次室２２内の製紙原料流れの下流側（の部位）を大きくなるように構成されているため、つまり、二次室２２内の製紙原料流れの出口側が入口側に比べ体積的に大きくなる構成となっているため、上述した一次室２１の構成と相俟って、従来に比べ、異物を含む製紙原料がより希釈化されにくく、一次室２１内の製紙原料流れの出口側において、異物がスクリーンを介して流入することをより防ぎ、精選効率を高めることができる。
【００１６】
上述した図１乃至図３記載のスクリーン装置Ａの実施例においては、スクリーン２に対して、製紙原料を外側から内側に向かって精選するインワード式スクリーン装置であるが、本願発明は、これに限らず、製紙原料を逆に内側から外側に向かって精選するアウトワード式スクリーン装置にも適用できるものである。
【００１７】
即ち、図４乃至図６において、Ａはスクリーン装置で、スクリーン装置Ａは、製紙原料を受け入れる槽１と、この槽１を一次室２１と二次室２２に仕切るスクリーン２と、このスクリーン２の内側に位置して、一次室２１内の製紙原料を攪拌する攪拌部材３とを有する。
【００１８】
スクリーン２は、例えば、円筒形状の側面に製紙原料を通過させる複数の開口部２３［開口部２３は、例えば、棒状の長手形状部材を隙間（長手形状の隙間）を有して環状に並設した場合の隙間、円筒形状の側面に設けた丸孔、スリット（例えば、細長い長方形状の隙間）］を有したもので、天井部２５と底面部２４を共に開放して槽１内に立設して固定されている。
【００１９】
また、上述した二次室２２内のスクリーン２と該スクリーン２に対向する槽１の内壁との間隔は、製紙原料流れの上流側より二次室２２内の製紙原料流れの下流側が大きくなるように構成され、間隔は、例えば、図５及び図６に示すように、上流側はＨ１、下流側はＨ２（Ｈ１＜Ｈ２）となるように構成され、二次室２２内のスクリーン２に対向する槽１は、製紙原料流れの下流側に行くにつれて拡大するテーパー状となっいている。
【００２０】
４は、槽１の一次室２１に連通して槽１に製紙原料を供給する製紙原料供給通路で、５は、一次室２１に連通し、スクリーン２を通過しない異物を含む製紙原料を槽１の外へ排出する異物排出通路で、６は、二次室２２に連通し、スクリーン２を通過した製紙原料を槽１の外へ排出する製紙原料排出通路である。
【００２１】
攪拌部材３は、槽１内に設けられた回転軸３１に接続されたロータ部３２の上に位置する円盤状部材の天井部３３及び外周面より張り出すと共に、垂下したもので、複数（本実施例では、１２個）設けられている。この攪拌部材３は、図示しないモーターから動力伝達部材７（例えば、ベルト）を介して回転するようになっている。
また、上述した一次室２１内のスクリーン２とスクリーン２に対向するロータ部３２の外周壁との間隔は一次室２１内の製紙原料流れの上流側より一次室２１内の製紙原料流れの下流側が大きくなるように構成され、例えば、図５及び図６に示すように、間隔は、例えば、上流側はｈ１、下流側はｈ２（ｈ１＜ｈ２）となるように構成され、一次室２１内のスクリーン２に対向するロータ部３２の外周壁は、製紙原料流れの下流側に行くにつれて縮小するテーパー状となっいている。
そして、スクリーン１の内側に対向して設けられた攪拌部材３の回転により、製紙原料を攪拌し、該製紙原料中の良繊維と異物を選別すると共に、スクリーン２の目洗い作用を行って、継続的に製紙原料から異物を除去することができるようになっている。
【００２２】
従って、製紙原料供給通路４により、製紙原料は一次室２１内に供給される。一次室２１内の製紙原料は、下流側に行くにつれて水と共に良繊維がスクリーン２を介して二次室２２に流入されるため、異物を多く含むが、一次室２１内のスクリーン２とスクリーン２に対向するロータ部３２の外周壁との間隔は一次室２１内の製紙原料流れの上流側より一次室２１内の製紙原料流れの下流側が大きくなるように構成されているため、つまり、製紙原料流れの出口側が入口側に比べ体積的に大きくなる構成となっているため、従来に比べ、異物を含む製紙原料が希釈化されにくく、一次室２１内の製紙原料流れの出口側において、異物がスクリーン２を介して流入することを防ぎ、精選効率を高めて、スクリーン２により精選された製紙原料は、製紙原料排出通路６を介して槽３の外へと排出される。
また、二次室２２内の製紙原料流れの上流側（の部位）より二次室２２内の製紙原料流れの下流側（の部位）を大きくなるように構成されているため、つまり、二次室２２内の製紙原料流れの出口側が入口側に比べ体積的に大きくなる構成となっているため、上述した一次室２１の構成と相俟って、従来に比べ、異物を含む製紙原料がより希釈化されにくく、一次室２１内の製紙原料流れの出口側において、異物がスクリーンを介して流入することをより防ぎ、精選効率を高めることができる。
【図面の簡単な説明】
【００２３】
【図１】図１は、本発明の一実施例のスクリーン装置の概略的断面図である。
【図２】図２は、図１の２−２線による概略的断面図である。
【図３】図３は、図１の３−３線による概略的断面図である。
【図４】図４は、図１と異なるスクリーン装置の概略的断面図である。
【図５】図５は、図４の４−４線による概略的断面図である。
【図６】図６は、図４の５−５線による概略的断面図である。
【符号の説明】
【００２４】
Ａ      ・・・・・スクリーン装置
１      ・・・・・槽
２      ・・・・・スクリーン
２１      ・・・・・一次室
２２      ・・・・・二次室
３      ・・・・・攪拌部材
４      ・・・・・製紙原料供給通路
５      ・・・・・異物排出通路
６      ・・・・・製紙原料排出通路
【図１】
2006283247.tif 000003
【図２】
2006283247.tif 000004
【図３】
2006283247.tif 000005
【図４】
2006283247.tif 000006
【図５】
2006283247.tif 000007
【図６】
2006283247.tif 000008